(57)【要約】【課題】メータ交換処理に係わる省力化を図った監視システムを提供すること。【解決手段】実施形態によれば、建物監視装置は、表示器を介してＧＵＩ環境を形成するユーザインタフェース部と、コントローラからメータのカウント値を取得する取得部と、取得したカウント値を上位管理装置に送信する送信部とを備える。ユーザインタフェース部は、交換すべき旧メータの交換処理前に、第１アイコンを表示器に表示する。取得部は、第１アイコンがクリックされると、旧メータの積算カウント値を取得する。また、ユーザインタフェース部は、旧メータの積算カウント値が取得されると、第１アイコンとは異なる第２アイコンを表示器に表示する。また取得部は、第２アイコンがクリックされると、交換後の新メータの積算カウント値を取得する。送信部は、取得された旧メータの積算カウント値および新メータの積算カウント値を上位管理システムに送信する。【選択図】  図２
2014056325.tif 000002
【特許請求の範囲】
【請求項１】
建物に備わるメータのカウント値を収集するコントローラと、
前記コントローラに通信ネットワークを介して接続される建物監視装置と、
前記建物監視装置と前記通信ネットワークを介して通信可能な上位管理装置とを具備し、
前記建物監視装置は、
表示器を介してＧＵＩ（Graphical User Interface）環境を形成するユーザインタフェース部と、
前記コントローラから前記カウント値を取得する取得部と、
前記取得したカウント値を前記上位管理装置に送信する送信部とを備え、
前記ユーザインタフェース部は、
交換すべき旧メータの交換処理前に、第１アイコンを前記表示器に表示し、
前記取得部は、
前記第１アイコンがクリックされると、前記旧メータの積算カウント値を取得し、
前記ユーザインタフェース部は、
前記旧メータの積算カウント値が取得されると、前記第１アイコンとは異なる第２アイコンを前記表示器に表示し、
前記取得部は、
前記第２アイコンがクリックされると、交換後の新メータの積算カウント値を取得し、
前記送信部は、前記取得された旧メータの積算カウント値および新メータの積算カウント値を前記上位管理システムに送信する、建物監視システム。
【請求項２】
建物に備わるメータのカウント値を収集するコントローラに通信ネットワークを介して接続される建物監視装置において、
表示器を介してＧＵＩ（Graphical User Interface）環境を形成するユーザインタフェース部と、
前記コントローラから前記カウント値を取得する取得部と、
前記取得したカウント値を前記通信ネットワークを介して上位管理装置に送信する送信部とを備え、
前記ユーザインタフェース部は、
交換すべき旧メータの交換処理前に、第１アイコンを前記表示器に表示し、
前記取得部は、
前記第１アイコンがクリックされると、前記旧メータの積算カウント値を取得し、
前記ユーザインタフェース部は、
前記旧メータの積算カウント値が取得されると、前記第１アイコンとは異なる第２アイコンを前記表示器に表示し、
前記取得部は、
前記第２アイコンがクリックされると、交換後の新メータの積算カウント値を取得し、
前記送信部は、前記取得された旧メータの積算カウント値および新メータの積算カウント値を前記上位管理システムに送信する、建物監視装置。
【請求項３】
建物に備わるメータのカウント値を収集するコントローラに通信ネットワークを介して接続され、表示器を介してＧＵＩ（Graphical User Interface）環境を形成するユーザインタフェース部と、前記コントローラから前記カウント値を取得する取得部と、前記取得したカウント値を前記通信ネットワークを介して上位管理装置に送信する送信部とを備える建物監視装置に適用可能な建物監視方法であって、
前記ユーザインタフェース部は、
交換すべき旧メータの交換処理前に、第１アイコンを前記表示器に表示し、
前記取得部は、
前記第１アイコンがクリックされると、前記旧メータの積算カウント値を取得し、
前記ユーザインタフェース部は、
前記旧メータの積算カウント値が取得されると、前記第１アイコンとは異なる第２アイコンを前記表示器に表示し、
前記取得部は、
前記第２アイコンがクリックされると、交換後の新メータの積算カウント値を取得し、
前記送信部は、前記取得された旧メータの積算カウント値および新メータの積算カウント値を前記上位管理システムに送信する、建物監視方法。
【発明の詳細な説明】
【技術分野】
【０００１】
本発明の実施形態は、ビルオートメーションなどに適用される建物監視システム、建物監視装置および建物監視方法に関する。
【背景技術】
【０００２】
Building Automation and Control Networking protocol（ＢＡＣｎｅｔ（登録商標））は、ビルや工場などの施設における監視装置／被監視装置間での通信を標準化するために規定された通信プロトコルである。ＢＡＣｎｅｔ（登録商標）を用いた建物監視システムは、BACnet Operator Workstation（Ｂ−ＯＷＳ）と、BACnet Building Controller（Ｂ−ＢＣ）とを備える。Ｂ−ＯＷＳは監視機能を備えてＢ−ＢＣよりも上位の位置付けにある。Ｂ−ＢＣは被監視装置を制御するコントローラであって、Ｂ−ＯＷＳよりも下位の位置付けにある。
【０００３】
ビルには、例えば水道の量（上水の流量）を計測するメータ、空調に係わる熱量を計測するメータ、あるいは電力量計などの各種のメータが随所に配置される。各メータの検針値データは、ＢＡＣｎｅｔ伝送により例えば１日１回の頻度でＢ−ＯＷＳに取り込まれる。また、Building Energy Management System（ＢＥＭＳ）と称するツールの集中検針機能を用いれば、Ｂ−ＯＷＳから検針値データを定期的に取得し、別途蓄積することができる。近年では、建物監視制御装置にＢＥＭＳを組み合わせたビルが増えてきている。
【０００４】
ところで、メータには検定保証期間が定められており、一定の使用期間を過ぎると交換する必要がある。交換前のメータ（旧メータ）と交換後のメータ（新メータ）とではメータの指示値が異なるので、それをシステムに認識させるための処理が必要になる。
【先行技術文献】
【特許文献】
【０００５】
【特許文献１】特開２００６−１２９００４号公報
【発明の概要】
【発明が解決しようとする課題】
【０００６】
メータ交換処理時には、ＢＥＭＳからの操作で旧メータの検針値を取得し、その後、新メータの開栓値を手入力でインプットする。その後、Ｂ−ＯＷＳからの操作で、該当メータの監視ポイントＩＤのカウント値に新メータの読み値をインプットする。最後に、Ｂ−ＢＣで保持している監視ポイントデータのカウント値を、Ｂ−ＯＷＳが修正する。
【０００７】
このように既存の技術では、メータ交換の際にＢ−ＯＷＳとＢＥＭＳとの双方の端末で作業しなくてはならないので、オペレータには両端末の操作をするためのスキルが必要とされ、手間が大きいばかりか、操作ミスを生じる虞もある。
【０００８】
目的は、メータ交換処理に係わる省力化を図った建物監視システム、建物監視装置および建物監視方法を提供することにある。
【課題を解決するための手段】
【０００９】
実施形態によれば、建物監視システムは、建物に備わるメータのカウント値を収集するコントローラと、コントローラに通信ネットワークを介して接続される建物監視装置と、建物監視装置と通信ネットワークを介して通信可能な上位管理装置とを具備する。建物監視装置は、表示器を介してＧＵＩ環境を形成するユーザインタフェース部と、コントローラからカウント値を取得する取得部と、取得したカウント値を上位管理装置に送信する送信部とを備える。ユーザインタフェース部は、交換すべき旧メータの交換処理前に、第１アイコンを表示器に表示する。取得部は、第１アイコンがクリックされると、旧メータの積算カウント値を取得する。また、ユーザインタフェース部は、旧メータの積算カウント値が取得されると、第１アイコンとは異なる第２アイコンを表示器に表示する。また取得部は、第２アイコンがクリックされると、交換後の新メータの積算カウント値を取得する。送信部は、取得された旧メータの積算カウント値および新メータの積算カウント値を上位管理システムに送信する。
【図面の簡単な説明】
【００１０】
【図１】図１は、実施形態に係わる建物監視システムの一例を示すシステム図である。
【図２】図１に示される監視装置１１〜１ｎの一例を示す機能ブロック図である。
【図３】図３は、実施形態に係る建物監視システムにおける処理手順の一例を示すフローチャートである。
【図４】図４は、表示器４２に表示されるアイコンの一例を示す図である。
【図５】図５は、表示器４２に表示されるアイコンの他の例を示す図である。
【発明を実施するための形態】
【００１１】
図１は、実施形態に係わる建物監視システムの一例を示すシステム図である。図１において、複数の監視装置１１〜１ｎおよびローカルコントローラ２１〜２ｍが建物内のLocal Area Network（ＬＡＮ）１００に接続される。図１に示される建物監視システムはＢＡＣｎｅｔ（登録商標）に準拠することを想定する。すなわち、実施形態においてＬＡＮ１００の上位層にＢＡＣｎｅｔ（登録商標）が形成される。
【００１２】
ローカルコントローラ２１〜２ｍにはそれぞれ通信回線を介してノードが接続される。各ノードは例えばフロアごとの空調機器、照明機器、動力機器などである。ローカルコントローラ２１〜２ｍはそれぞれ接続されるノードを被監視装置として認識し、その状態を各種メータの指示値に基づいてモニタする。ローカルコントローラ２１〜２ｍは実施形態においてはＢ−ＢＣとして機能する。
【００１３】
監視装置１１〜１ｎはローカルコントローラ２１〜２ｍから通知されるモニタ結果を受け建物監視システムを上位レベルで監視制御したり、オペレータに各種の情報を提供したりするサーバとしての機能を有する。監視装置１１〜１ｎは実施形態においてはＢ−ＯＷＳとして機能する。実施形態では監視装置１１にＢ−ＯＷＳの機能を代表させ、監視装置１１を主体としての説明を行う。もちろん、他の監視装置も同様の機能を備える。
【００１４】
さらに、ＬＡＮ１００にＢＥＭＳ２００が接続される。ＢＥＭＳ２００はローカルコントローラ２１〜２ｍ、監視装置１１〜１ｎから取得した各種データに基づいて、建物の空調や照明などを制御する。このほかＢＥＭＳ２００は、建物全体でのエネルギー消費の最適化や快適性の制御などの機能も備え、上位管理システムとしての位置付けにある。
【００１５】
図１において、ＢＥＭＳ２００は、建物内のメータ値のデータを例えば一日一回の頻度で、監視装置（Ｂ−ＯＷＳ）１１〜１ｎから定期的に収集し、蓄積する。ＢＥＭＳ２００はメータ番号と建物監視制御システムでの監視ポイントＩＤとを対応付け（紐付け）し、個々のメータ番号毎に検針値データを一覧表示する機能を備える。
【００１６】
監視装置（Ｂ−ＯＷＳ）１１〜１ｎは、ユーザが直接操作可能で、データ入力や設定変更などをGraphical User Interface（ＧＵＩ）を介してシステムに与えるための装置である。また監視装置（Ｂ−ＯＷＳ）１１〜１ｎは、ローカルコントローラ（Ｂ−ＢＣ）２１〜２ｍからメータのカウント値を取得し、取得したデータを長期データとして保存する。
【００１７】
ローカルコントローラ（Ｂ−ＢＣ）２１〜２ｍは、例えば入出力端末（図示せず）から受信した信号をＢＡＣｎｅｔ（登録商標）での伝送形式に変換し、監視装置（Ｂ−ＯＷＳ）１１〜１ｎにデータを送信する。また、ローカルコントローラ（Ｂ−ＢＣ）２１〜２ｍは、取得した信号に基づくデータを短期データとして一定期間保存する。ここで、入出力端末は、入力されたメータからの電気的信号を伝送信号に変換し、ローカルコントローラ（Ｂ−ＢＣ）２１〜２ｍに送信するためのインタフェースである。
【００１８】
図２は、図１に示される監視装置１１〜１ｎの一例を示す機能ブロック図である。監視装置１１〜１ｎは、ネットワークインタフェース部４１、表示器４２、入出力部４３、データベース部４４、および、主制御部４５を備える。ネットワークインタフェース部４１はＬＡＮ１００との通信に係わるインタフェース処理を担う。
【００１９】
表示器４２は入出力部４３とともにユーザインタフェースを提供し、ＧＵＩ（Graphical User Interface）環境を形成する。データベース部４４はハードディスクドライブなどのストレージデバイスであり、管理テーブル４４ａを記憶する。管理テーブル４４ａにはシステム内の被監視装置（ノード）の個別の状態などが記憶される。表示器４２および入出力部４３は管理テーブル４４ａから取得したデータを処理し、例えばＷｅｂブラウザなどの形態でユーザへの情報通知を行う。
【００２０】
ところで、主制御部４５は、この実施形態に係わる処理機能としてユーザインタフェース部４５ａ、取得部４５ｂ、および、送信部４５ｃを備える。  
ユーザインタフェース部４５ａは、表示器４２を介してＧＵＩ環境を形成する。またユーザインタフェース部４５ａは、メータの交換処理に際して、交換すべき旧メータの交換処理前に、その旨を促す第１アイコンを表示器４２に表示する。また、ユーザインタフェース部４５ａは、旧メータが新メータに交換されたことを受けて、第１アイコンとは異なる第２アイコンを表示器４２に表示する。
【００２１】
取得部４５ｂは、第１アイコンがクリックされると、旧メータの積算カウント値を取得する。また取得部４５ｂは、旧メータの積算カウント値が取得されたのち第２アイコンがクリックされると、交換後の新メータの積算カウント値を取得する。
【００２２】
送信部４５ｃは、取得された旧メータの積算カウント値および新メータの積算カウント値を、ＢＥＭＳ２００に送信する。次に、上記構成における作用を説明する。
【００２３】
図３は、実施形態に係る建物監視システムにおける処理手順の一例を示すフローチャートである。以下では、Ｂ−ＯＷＳとしての監視装置１１を主体として説明する。メータ交換処理が開始されると、オペレータは、監視装置（Ｂ−ＯＷＳ）１１のＧＵＩ画面の、例えば積算ポイントのカウント値をインプットするためのポイント詳細画面上で交換対象のメータを選択する。監視装置１１は、この画面上に、例えば図４に示されるような『旧メータ交換処理』ボタン（アイコン）を表示する。オペレータは、選択したメータに対し、旧メータのカウント値がインプットされている状態で、『旧メータ交換処理』ボタンをクリックする（ステップＳ１）。
【００２４】
そうすると監視装置（Ｂ−ＯＷＳ）１１は、Ｂ−ＢＣ（ローカルコントローラ）に対して該当メータの積算カウント値を要求する（ステップＳ２）。これを受けてＢ−ＢＣは、積算カウント値を監視装置（Ｂ−ＯＷＳ）１１に返送する（ステップＳ３）。積算カウント値を受けた監視装置（Ｂ−ＯＷＳ）１１は、この積算カウント値をＢＥＭＳ２００に送信する（ステップＳ４）。
【００２５】
応するメータ番号と対応付けし、該当するメータ番号の旧メータ値にインプットする（ステップＳ５）。
【００２６】
一方、監視装置（Ｂ−ＯＷＳ）１１は、『旧メータ交換処理』ボタンのクリック後はＧＵＩに表示されるボタン名称を『新メータ交換処理』に変更する（ステップＳ６）。つまり監視装置（Ｂ−ＯＷＳ）１１は、表示器４２に、例えば図５に示されるような『新メータ交換処理』ボタン（アイコン）を表示する。
【００２７】
その後、現地におけるメータ交換作業が実施され、メータ値の読み合わせが行われる。読み合わせにより取得されたメータ値に基づいて、監視装置（Ｂ−ＯＷＳ）１１のＧＵＩ操作により、該当ポイントのカウント値が新メータ値に修正される（ステップＳ７）。
【００２８】
次に、『新メータ交換処理』ボタンがクリックされると（ステップＳ８）、監視装置（Ｂ−ＯＷＳ）１１は、Ｂ−ＢＣに対して該当メータの交換後の積算カウント値を要求する（ステップＳ９）。これを受けてＢ−ＢＣは、該当メータの交換後の積算カウント値を監視装置（Ｂ−ＯＷＳ）１１に返送する（ステップＳ１０）。メータの交換後の積算カウント値を受けた監視装置（Ｂ−ＯＷＳ）１１は、この積算カウント値をＢＥＭＳ２００に送信する（ステップＳ１１）。
【００２９】
ＢＥＭＳ２００は、監視装置（Ｂ−ＯＷＳ）１１から受信した積算カウント値を、建物建物監視制御システムの監視ポイントＩＤに基づいて、対応するメータ番号と対応付けし、該当するメータ番号を新メータ値にインプットする（ステップＳ１２）。すなわちＢＥＭＳ２００は、監視装置（Ｂ−ＯＷＳ）１１から送信された旧メータの読み値と新メータの読み値とを取得し、自らにインプットすることができる。これによりＢＥＭＳ２００は、個々のメータの使用量を正確に積算することが可能になる。
【００３０】
以上の手順によれば、旧メータのカウント値が監視装置（Ｂ−ＯＷＳ）１１によりＢ−ＢＣから取得され、その値が監視装置（Ｂ−ＯＷＳ）１１からＢＥＭＳ２００に送信される。よってＢＥＭＳ２００は、旧メータのカウント値を自らのデータベースにインプットすることが可能になる。
【００３１】
また、交換後の新メータの現地での読み値がインプットされると、監視装置（Ｂ−ＯＷＳ）１１は、Ｂ−ＢＣから新メータのカウント値を取得し、ＢＥＭＳ２００に送信する。これによりＢＥＭＳ２００は、自らのデータベースにおける新メータに該当するメータ番号に新たなカウント値をインプットすることが可能になる。
【００３２】
従って、Ｂ−ＯＷＳとＢＥＭＳ２００とのデータ整合処理、および新旧メータの積算カウント値の整合処理などの処理を、監視装置（Ｂ−ＯＷＳ）１１におけるオペレータ操作のみで完結させることが可能になる。これによりＢＥＭＳ２００におけるオペレータのマニュアル操作が不要になるので、メータ交換処理時におけるオペレータの手間を飛躍的に軽減できるようになる。
【００３３】
つまり、Ｂ−ＯＷＳ上の操作だけで検針メータ交換処理を行うことが可能になる。これらのことから実施形態によれば、メータ交換処理に係わる省力化を図った建物監視システム、建物監視装置および建物監視方法を提供することが可能となる。
【００３４】
本発明の実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３５】
１１〜１ｎ…監視装置、２１〜２ｍ…ローカルコントローラ、１００…Local Area Network（ＬＡＮ）、２００…ＢＥＭＳ、４１…ネットワークインタフェース部、４２…表示器、４３…入出力部、４４…データベース部、４４ａ…管理テーブル、４５…主制御部、４５ａ…ユーザインタフェース部、４５ｂ…取得部、４５ｃ…送信部
【図１】
2014056325.tif 000003
【図２】
2014056325.tif 000004
【図３】
2014056325.tif 000005
【図４】
2014056325.tif 000006
【図５】
2014056325.tif 000007